(57)【要約】      （修正有）【課題】折り畳んで手軽に持ち運び可能であり、意匠性に優れた帽子を提供する。【解決手段】帽子１は、帽子本体２と、鍔部３と、結び目の形状を有するリボン４からなる装飾部と、ボタン１５ａとボタン係止部１５ｂが取り付けられたゴム部材５ａ、５ｂからなり、折り畳んだ状態を固定可能な一対の固定部材５とを備える。【選択図】図１
0003210821.tif 000002
【実用新案登録請求の範囲】
【請求項１】
内部に空間が形成されたクラウン部と、
該クラウン部の外周面に取り付けられた装飾部と、
前記クラウン部の外周面の前記装飾部で覆われた領域に取り付けられ、同クラウン部を折り畳んだ状態を固定可能な固定具とを備える
帽子。
【請求項２】
前記固定具は、前記クラウン部又は前記装飾部の少なくとも一方に固定された一対のゴム部材で構成され、
一方のゴム部材は、一端側に第１の固定部が形成され、同一端を引っ張って前記装飾部の一端と前記クラウン部との間から延出可能であり、
他方のゴム部材は、一端側に前記第１の固定部と結合可能な第２の固定部が取り付けられ、同一端を引っ張って前記装飾部の他端と前記クラウン部との間から延出可能である
請求項１に記載の帽子。
【請求項３】
前記第１の固定部又は前記第２の固定部の少なくとも一方はボタンであり、他方は同ボタンを係止可能なボタン係止部である
請求項２に記載の帽子。
【請求項４】
前記装飾部は結び目の形状を有するリボン、テープ状の帯布、造花、ワッペン、バッジから選択される少なくとも１つである
請求項１、請求項２又は請求項３に記載の帽子。
【請求項５】
前記クラウン部を折り畳んで前記固定具で固定した状態の大きさが、同クラウン部を折り畳む前の状態の大きさの３分の１以下である
請求項１、請求項２、請求項３又は請求項４に記載の帽子。
【請求項６】
前記クラウン部の開口周縁の少なくとも一部に鍔部が設けられた
請求項１、請求項２、請求項３、請求項４又は請求項５に記載の帽子。
【考案の詳細な説明】
【技術分野】
【０００１】
本考案は帽子に関する。詳しくは、折り畳んで手軽に持ち運び可能であり、意匠性に優れた帽子に係るものである。
【背景技術】
【０００２】
従来、防暑及び防寒や、装飾の観点から頭部に着用する衣類として帽子が用いられている。
【０００３】
帽子は、着用する場面や素材等により、その形状や大きさが多岐に渡るが、例えば、女性が装飾用に着用するものであれば、頭部を収容する帽子の本体となるクラウン部と、クラウン部の端縁に鍔部が形成された、いわゆるハットと呼ばれる種類の帽子が好まれている。
【０００４】
ハットの外周面には、結び目の形状を有するリボン、テープ状の帯布、造花等のハットの意匠性を高める付属物が取り付けられているものが一般的である。
【０００５】
また、帽子を着用しない際に、帽子本体を折り畳んでポケットやカバン等に入れて携行が可能な帽子が存在する（例えば、特許文献１参照）。このような帽子は、持ち運びに便利であり、使い勝手に優れている。
【０００６】
例えば、特許文献１に開示された帽子は、帽子本体の前面に鍔部が形成された、いわゆるキャップと呼ばれる帽子であり、鍔部の真ん中で鍔部を２つに折り畳み可能に形成されている。帽子本体も布部材で形成され、２つ折りにした鍔部と合せて、帽子本体を小さく折り畳むことができる。
【先行技術文献】
【特許文献】
【０００７】
【特許文献１】特開２００３−１３３２０号公報
【考案の概要】
【考案が解決しようとする課題】
【０００８】
しかしながら、特許文献１に記載のものを含めて、従来の帽子、特に、ハットとよばれる帽子では、折り畳んで小さくした状態を固定可能なものがほとんど存在しない。
【０００９】
また、ハットで折り畳んだ状態を固定可能に形成されたものであっても、折り畳んだ状態を固定するための固定具、例えば、ボタンやゴム等の部材が、クラウン部の外周面上の外部から視認可能な位置に設けられ、意匠性が損なわれていた。
【００１０】
本考案は、以上の点に鑑みて創案されたものであり、折り畳んで手軽に持ち運び可能であり、意匠性に優れた帽子に係るものである。
【課題を解決するための手段】
【００１１】
上記の目的を達成するために、本考案の帽子は、内部に空間が形成されたクラウン部と該クラウン部の外周面に取り付けられた装飾部と、前記クラウン部の外周面の前記装飾部で覆われた領域に取り付けられ、同クラウン部を折り畳んだ状態を固定可能な固定具とを備える。
【００１２】
ここで、内部に空間が形成されたクラウン部によって、着用者が帽子を着用可能となる。即ち、クラウン部の内部空間に頭部を入れて、帽子をかぶることができる。
【００１３】
また、装飾部がクラウン部の外周面に取り付けられたことによって、帽子の意匠性を高めることができる。
【００１４】
また、クラウン部を折り畳んだ状態を固定可能な固定具によって、クラウン部を小さくした状態を維持可能となる。この結果、例えば、帽子を小さくして、衣類等のポケットやバッグに収容して携行しやすいものとなる。
【００１５】
また、固定具が、クラウン部の外周面の装飾部で覆われた領域に取り付けられことによって、固定具をクラウン部と装飾部の間に配置可能となり、固定具が装飾部に隠れて、外側から見えにくくなり、帽子の意匠性を高めることができる。
【００１６】
また、固定具が、クラウン部又は装飾部の少なくとも一方に固定された場合には、固定具が装飾部で覆われた状態、又は、固定具がクラウン部を折り畳んだ状態を固定した状態を、クラウン部又は装飾部との固定を介して維持することができる。なお、ここでは、「固定具が、クラウン部又は装飾部の少なくとも一方に固定」されるものであるため、固定具とクラウン部との間の固定、固定具と装飾部との間の固定だけでなく、固定具とクラウン部及び装飾部の両方との固定も含んでいる。
【００１７】
また、固定具が一対のゴム部材で構成された場合には、固定具にゴム部材が有する弾性や伸縮性を持たせることができる。
【００１８】
また、一方のゴム部材が、一端側に第１の固定部が形成され、一端を引っ張って装飾部の一端とクラウン部との間から延出可能であり、他方のゴム部材が、一端側に第１の固定部と結合可能な第２の固定部が取り付けられ、一端を引っ張って前記装飾部の他端と前記クラウン部との間から延出可能である場合には、装飾部の一端から第１の固定部を、装飾部の他端から第２の固定部を、それぞれ引っ張り出し、第１の固定部と第２の固定部を結合させることができる。即ち、クラウン部を折り畳んで、一対のゴム部材を装飾部から引張出し、第１の固定部と第２の固定部を結合させて、クラウン部を折り畳んだ状態で固定可能となる。また、第１の固定部と第２の固定部を結合させない状態では、ゴムの弾性力により一対のゴム部材は装飾部側に引き戻され、装飾部に覆われた領域に位置させることができる。
【００１９】
また、第１の固定部又は第２の固定部の少なくとも一方はボタンであり、他方は同ボタンを係止可能なボタン係止部である場合には、ボタンとボタン係止部を介して、クラウン部を折り畳んだ状態を固定することができる。
【００２０】
また、装飾部は結び目の形状を有するリボン、テープ状の帯布、造花、ワッペン、バッジから選択される少なくとも１つである場合には、帽子の意匠性をより一層高めることができる。
【００２１】
また、クラウン部を折り畳んで前記固定具で固定した状態の大きさが、クラウン部を折り畳む前の状態の大きさの３分の１以下である場合には、帽子を充分に小さくすることができ、より一層、持ち運びしやすいものとなる。
【００２２】
また、クラウン部の開口周縁の少なくとも一部に鍔部が設けられた場合には、例えば、ハットに分類される帽子とすることができ、意匠性に優れたものとなる。
【考案の効果】
【００２３】
本考案に係る帽子は、折り畳んで手軽に持ち運び可能であり、意匠性に優れたものとなっている。
【図面の簡単な説明】
【００２４】
【図１】（ａ）は、本考案を適用した帽子であり、リボンと帽子本体の間に一対のゴム部材が収容された状態を示す正面図、（ｂ）は、一対のゴム部材の端部をリボンの外側に出した状態を示す正面図である。
【図２】（ａ）は、図１の帽子を正面（リボンのある面）と背面が重なるように２つ折りにした状態の背面を示す図、（ｂ）は、図２（ａ）に示す帽子を帽子本体におけるボタンが設けられたゴム部材がある領域を内側に折り畳んだ状態を示す図、（ｃ）は、図２（ｂ）に示す帽子を、更に、帽子本体における端部を輪っか状に形成したゴム部材がある領域を内側に折り畳んで、ボタンを輪っか状の端部で係止して固定した状態を示す図である。
【図３】本考案を適用したその他の実施形態を示す図である。
【考案を実施するための形態】
【００２５】
以下、本考案の実施の形態について図面を参照しながら説明し、本考案の理解に供する。
なお、以下に示す構造は本考案を適用した帽子の一例であり、本考案の内容はこれに限定されるものではなく、適宜設定変更することが可能である。
【００２６】
図１（ａ）及び図１（ｂ）に示すように、本考案を適用した帽子の一例である帽子１は、帽子本体２と、鍔部３と、リボン４と、一対の固定部材５を備えている。
【００２７】
帽子１は、いわゆるハットと呼ばれる種類の帽子であり、着用者が頭にかぶって着用される。帽子本体２は、略ドーム状（又は半球形状）の外形を有し、内部に空間が形成されており、帽子１の主な外形を構成すると共に、着用者の頭部を収容する部分である。帽子本体２は、本願請求項の「クラウン部」に該当する。
【００２８】
鍔部３は、帽子本体２の開口端縁に沿って形成され、例えば、日中の陽射しを遮る部分となる。また、鍔部３は、帽子１の意匠性を高める部分でもある。帽子１では、鍔部３は、リボン４の中央部分に対応する領域に切欠き６が形成されている。
【００２９】
リボン４は結び目の形状を有し、帽子本体２の外周面上に取り付けられ、帽子１の意匠性を高める部分である。また、リボン４は、帽子本体２の外周面に部分的に縫い付けられている。
【００３０】
より詳細には、リボン４の結び目の形状の角に相当する位置７や、中央部の位置８で帽子本体２に縫い付けられている。そのため、位置７、８以外の部分ではリボン４は帽子本体２固定されておらず、リボン４と帽子本体２の間に隙間が生じ、この隙間の部分から固定部座５をリボン４の外側に向けて引っ張り出せるようになっている。
【００３１】
なお、リボン４は、図１（ａ）及び図１（ｂ）において、一対の固定部材５の位置を明確にするために点線で記載されている。また、リボン４は、本願請求項の「装飾部」に該当する。
【００３２】
ここで、必ずしも、帽子１がハットの種類である必要はなく、用途や素材等に応じて、その他の種類の帽子であってもよい。
【００３３】
また、帽子１を構成する素材は、限定されるものではなく、折り畳みが可能な素材となっていれば充分である。例えば、布や、合成繊維等、既知の帽子に使用される素材が使用可能である。
【００３４】
また、帽子本体２の形状も略ドーム状に限定されるものではなく、帽子として人の頭部に着用可能であれば、種々の形状を採用しうる。
【００３５】
また、鍔部３の有無や形状も特に限定されるものではない。例えば、鍔部３のように切欠き６が設けられた形状だけでなく、帽子本体の開口端縁の全周に沿って設けられた鍔部や、開口端縁の一部に設けられる形状であってもよい。
【００３６】
また、必ずしもリボン４が装飾部として採用される必要はない。後述する一対の固定部材５を覆って、帽子１の通常の使用時に固定部材５が外部から視認できないようにすることができれば充分である。この観点から、装飾部は固定部材を覆えるだけの一定の面積があればよく、例えば、テープ状の帯布、造花、ワッペン、バッジ等が帽子本体２に取り付ける装飾部として採用しうる。
【００３７】
また、リボン４の帽子本体２への固定位置は、リボン４の結び目の形状の角に相当する位置７や、中央部の位置８に限定されるものではなく、帽子本体２とリボン４の間に隙間が生じ、固定部座５をリボン４の外側に向けて引っ張り出せるようになっていれば充分である。但し、結び目の形状を有するリボン４の見栄えを良くする点から、リボン４の結び目の形状の角に相当する位置７や、中央部の位置８でリボン４が帽子本体２に固定されることが好ましい。
【００３８】
一対の固定部材５は、帽子１を折り畳んだ状態を固定するための部材であり、２つのゴム部材５ａ、ゴム部材５ｂから構成されている。２つのゴム部材５ａ、５ｂは約０．５ｍｍの幅を有する帯状体である。なお、固定部材５は、本願請求項の「固定具」に該当する。
【００３９】
２つのゴム部材５ａ、５ｂはそれぞれ、帽子を着用する際には、図１（ａ）に示すように、帽子本体２とリボン４の間に収容され、即ち、リボン４で覆われた状態となり、外観上、視認されない位置に配置可能となっている。
【００４０】
２つのゴム部材５ａ、５ｂはそれぞれ、１本の帯状体を中央部で２つ折りにして、一端は輪っか状、他端は２つの端部が重なった形状となっている。
【００４１】
図１（ｂ）に示すように、ゴム部材５ａは、一端側の輪っか状部分にボタン１５ａが縫い付けられている。ボタン１５ａを固定した縫い糸は、折り重なった２片のゴム部材５ａを貫通して縫い付けられている。
【００４２】
また、ゴム部材５ａの他端側、即ち、リボン４の中央部の近傍に位置する端部は、その一部が帽子本体２に縫い付けて固定されている。ゴム部材５ａの他端を固定した縫い糸は、折り重なった２片のゴム部材５ａを貫通して縫い付けられている。固定されたゴム部材５ａの他端が、ボタン１５ａを引っ張って、リボン４の外側に引き出す時の固定箇所（引っ張り力が働く位置）となる。
【００４３】
図１（ｂ）に示すように、ゴム部材５ｂは、一端側は輪っか状のボタン係止部１５ｂとなっている。また、ゴム部材５ｂの他端側、即ち、リボン４の中央部の近傍に位置する端部は、その一部が帽子本体２に縫い付けて固定されている。ゴム部材５ｂの他端を固定した縫い糸は、折り重なった２片のゴム部材５ｂを貫通して縫い付けられている。固定されたゴム部材５ｂの他端が、ボタン係止部１５ｂを引っ張って、リボン４の外側に引き出す時の固定箇所（引っ張り力が働く位置）となる。
【００４４】
ゴム部材５ａの一端側のボタン１５ａは、ゴム部材５ｂの一端側の輪っか状のボタン係止部１５ｂに引っ掛けて係止可能となっている。即ち、各ゴム部材をリボン４の外側方向に向けて引っ張り出し、折り畳んだ帽子１の外周の一部をゴム部材５ａの一端側とゴム部材５ｂの一端側で覆って、ボタン１５ａをボタン係止部１５ｂで係止して、各ゴム部材５ａ、５ｂの復元力により、帽子１を折り畳んだ状態を維持可能となる。なお、ボタン１５ａ及びボタン１５ｂは、本願請求項の「第１の固定部」及び「第２の固定部」に該当する。
【００４５】
ここで、必ずしも一対の固定部材５が、ゴム部材５ａ、５ｂで構成される必要はなく、帽子１を折り畳んだ状態を固定可能であり、かつ、通常の使用時にリボン４で覆って外部から視認できないようにできるものであれば充分である。例えば、伸縮性のない紐や、帯状の面ファスナー、紐とゴムを組み合わせた部材であってもよい。但し、リボン４の外側に向けて引っ張って取り出しやすい点や、ゴムの復元力を利用して帽子１を折り畳んだ状態を維持しやすくなる点から、一対の固定部材５が、ゴム部材５ａ、５ｂで構成されることが好ましい。
【００４６】
また、ゴム部材５ａ、５ｂが、必ずしも、１本の帯状体を中央部で２つ折りにして、一端は輪っか状、他端は２つの端部が重なった形状とされる必要はない。但し、２片のゴム部材で構成され、強度が向上する点から、ゴム部材５ａ、５ｂが、必ずしも、１本の帯状体を中央部で２つ折りにして、一端は輪っか状、他端は２つの端部が重なった形状とされることが好ましい。
【００４７】
また、必ずしも、ゴム部材５ａの一端側にボタン１５ａが縫い付けられ、ゴム部材５ｂの一端側は輪っか状のボタン係止部１５ｂとされる必要はなく、帽子１を折り畳んだ状態を固定可能となっていれば充分である。この観点から、例えば、ボタンとボタン係止部以外の組み合わせとして、一対の雌雄のホック部材、面ファスナー、棒状の部材とこれを係止可能な輪っか等が採用しうる。但し、ゴム部材への縫い付けや加工がしやすい観点から、ゴム部材５ａの一端側にボタン１５ａが縫い付けられ、ゴム部材５ｂの一端側は輪っか状のボタン係止部１５ｂとされることが好ましい。
【００４８】
以上で説明した帽子を折り畳んで固定する流れについて、図２を参照しながら、説明する。
【００４９】
図２（ａ）に示すように、帽子１の正面側（リボン４の取り付けられた面）と、その反対の背面側が重なるように、正面と背面の間の位置で２つ折りにする。この状態で、正面側を下に、背面側が上になるように帽子１を置く。この状態では、鍔部３の端縁も正面側と背面側で重なった状態となる。
【００５０】
続いて、図２（ｂ）に示すように、帽子１を、２つ折りの状態の中央から左側の約３分の１の範囲を中央方向に向けて折り返して、折り返し片１ａとする。折り返し片１ａを形成した際には、リボン４の端部のうち、ゴム部材５ａの一端側、ボタン１５ａが設けられた端部が正面側から背面側に折り返されたものとなる。そして、帽子本体２とリボン４の間に配置したゴム部材５ａの端部をリボン４の外側に引っ張り出すと、ボタン１５ａが、折り返し片１ａの端縁（図２（ｂ）で見る左側）に位置する。
【００５１】
次に、帽子１を図２（ｂ）に示す状態から更に、帽子１の中央から右側の約３分の１の範囲を中央方向に向けて折り返して、折り返し片１ｂとする。折り返し片１ｂは、折り返し片１ａに部分的に重なり、この状態で、帽子１は図２（ａ）の状態の面積の約３分の１になる。折り返し片１ｂを形成した際には、リボン４の端部のうち、ゴム部材５ｂの一端側、ボタン係止部１５ｂが設けられた端部が正面側から背面側に折り返されたものとなる。そして、帽子本体２とリボン４の間に配置したゴム部材５ｂの端部をリボン４の外側に引っ張り出すと、ボタン係止部１５ｂが、折り返し片１ｂの端縁（図２（ｃ）で見る右側）に位置するものとなる。
【００５２】
この状態から、ゴム部材５ｂのボタン係止部１５ｂを、ボタン１５ａの方向（図２（ｃ）で見る左側）に向けて引っ張り、ボタン係止部１５ｂの輪っか状の部分にボタン１５ａを引っ掛けることで、ボタン１５ａが係止される。これにより、帽子１を折り畳んだ状態の形状で固定することができる。この結果、帽子１の折り畳みが完了する。
【００５３】
折り畳んだ状態の帽子１は、コンパクトな大きさとなり、衣類のポケットやカバン等に収容しやすいものとなる。また、通常の着用する際の帽子１の形状では、ゴム部材５ａ、５ｂがリボン４に覆われた領域に配置可能であり、外部から視認できないものとなり、帽子１の意匠性が優れたものとなる。なお、上記の工程では、帽子１を折り畳む際の一例であり、本考案を適用した帽子１の折り畳み方はこれに限定されるものではない。
【００５４】
続いて、図３に本考案を適用した帽子の他の実施の形態を示す。なお、図３に示す帽子２１では、上述した帽子１を構成する部材と同じ部材については同一の符号を付して、詳細な説明を省略する。
【００５５】
図３に示す帽子２１は、基本的な構成は上述した帽子１と共通しており、帽子１におけるゴム部材５ａがなくなり、リボン４で覆われた領域にボタン２５ａが縫い付けられた点で、帽子２１と帽子１は相違する。
【００５６】
帽子２１では、ゴム部材５ｂをやや長めのゴム部材とすることで、帽子２１を折り畳んだ状態で、ゴム部材５ｂを引っ張り、ボタン２５ａに引っ掛けて、ゴム部材５ｂのボタン係止部１５ｂを係止可能となっている。本考案では、このような態様の固定具を採用することもできる。
【００５７】
以上のように、本考案に係る帽子は、折り畳んで手軽に持ち運び可能であり、意匠性に優れたものとなっている。
【符号の説明】
【００５８】
１      帽子
２      帽子本体
３      鍔部
４      リボン
５      固定部材
５ａ    ゴム部材
５ｂ    ゴム部材
６      切欠き
７      内羽部
８      （リボンの）結び目の形状の角に相当する位置
８      （リボンの）中央部の位置
１５ａ  ボタン
１５ｂ  ボタン係止部
２１    帽子
２５ａ  ボタン
【図１】
0003210821.tif 000003
【図２】
0003210821.tif 000004
【図３】
0003210821.tif 000005